(57)【要約】【課題】全体の冷却効率が高く、高機能化すること。【解決手段】天板２２と、第一および第二の加熱コイル２３、２４と、第一および第二のプリント基板３０、３１と、第一および第二のプリント基板をそれぞれを保持する基板保持台３２、３３と第一の基板保持台３２の上面を覆う基板カバー３と冷却ファン３４と本体２１とを備え、第二のプリント基板を冷却した後の冷却風を第一の基板保持台３０の底面に設けられた開口部１を経由して第一のプリント基板３０に送風し冷却する構成とすることによって、全体の冷却効率を向上することが可能となる。【選択図】図１
2009059566.tif 000002
【特許請求の範囲】
【請求項１】
天板と前記天板の下方に設けられた第一の加熱コイルおよび第二の加熱コイルと前記第一または第二の加熱コイルの下方に設けられた第一のプリント基板と前記第一のプリント基板を保持する第一の基板保持台と前記第一の基板保持台の下方に設けられた第二のプリント基板と前記第二のプリント基板を保持する第二の基板保持台と前記第一の基板保持台の上面を覆う基板カバーと前記プリント基板に送風する冷却ファンと本体とを備え、第二のプリント基板を冷却した後の冷却風を第一の基板保持台に設けた開口部を経由して第一のプリント基板を冷却するよう構成した電磁誘導加熱調理器。
【請求項２】
第一のプリント基板の発熱量を第二のプリント基板の発熱量以上に設定した請求項１に記載の電磁誘導加熱調理器。
【請求項３】
第一のプリント基板を冷却した後の冷却風を基板カバーに設けた開口部および第一の基板保持台に設けた開口部を経由して本体外部へ排気するよう構成した請求項１または２に記載の電磁誘導加熱調理器。
【請求項４】
第一の基板保持台と第二の基板保持台の間に複数のプリント基板と開口部を有する前記複数のプリント基板の保持台を備えた請求項１〜３のいずれか１項に記載の電磁誘導加熱調理器。
【発明の詳細な説明】
【技術分野】
【０００１】
本発明は一般家庭等で使用される電磁誘導加熱調理器のプリント基板冷却構成に関するものである。
【背景技術】
【０００２】
従来、この種の電磁誘導加熱調理器は天板と加熱コイルとプリント基板とプリント基板の保持台とプリント基板に送風する冷却ファンと筐体を設けている（例えば、特許文献１参照）。
【０００３】
図２は、従来の電磁誘導加熱調理器を示すものである。図２に示すように、天板１２２と加熱コイル１２３と第一のプリント基板１３０と第一の基板保持台１３２と第二のプリント基板１３１と第二の基板保持台１３３と冷却ファン１３４と本体１２１から構成されている。
【特許文献１】特許第３６１３１０９号公報
【発明の開示】
【発明が解決しようとする課題】
【０００４】
しかしながら、前記従来の構成では、第一または第二のプリント基板１３２、１３１を冷却した後のそれぞれの冷却風はまだ冷却能力を保有しているにもかかわらず、そのまま本体１２１外に排気されるので全体の冷却効率が悪くなるという課題を有していた。
【０００５】
本発明は、前記従来の課題を解決するもので、全体の冷却効率を向上することを可能とした電磁誘導加熱調理器を提供することを目的とする。
【課題を解決するための手段】
【０００６】
前記従来の課題を解決するために、本発明の電磁誘導加熱調理器は、天板と前記天板の下方に設けられた第一の加熱コイルおよび第二の加熱コイルと前記第一または第二の加熱コイルの下方に設けられた第一のプリント基板と前記第一のプリント基板を保持する第一の基板保持台と前記第一の基板保持台の下方に設けられた第二のプリント基板と前記第二のプリント基板を保持する第二の基板保持台と前記第一の基板保持台の上面を覆う基板カバーと前記プリント基板に送風する冷却ファンと本体とを備え、第二のプリント基板を冷却した後の冷却風を第一の基板保持台に設けた開口部を経由して第一のプリント基板を冷却するよう構成したものである。
【０００７】
これによって、第二のプリント基板を冷却した後の冷却風を有効に使用するので全体の冷却効率が向上することとなる。
【発明の効果】
【０００８】
本発明の電磁誘導加熱調理器は、全体の冷却効率を向上することができる。
【発明を実施するための最良の形態】
【０００９】
第１の発明は天板と前記天板の下方に設けられた第一の加熱コイルおよび第二の加熱コイルと前記第一または第二の加熱コイルの下方に設けられた第一のプリント基板と前記第一のプリント基板を保持する第一の基板保持台と前記第一の基板保持台の下方に設けられた第二のプリント基板と前記第二のプリント基板を保持する第二の基板保持台と前記第一の基板保持台の上面を覆う基板カバーと前記プリント基板に送風する冷却ファンと本体とを備え、第二のプリント基板を冷却した後の冷却風を第一の基板保持台に設けた開口部を経由して第一のプリント基板を冷却するよう構成することにより、全体の冷却効率を向上することができる。
【００１０】
第２の発明は、特に、第１の発明の第一のプリント基板の発熱量を第二のプリント基板の発熱量以上に設定することにより、さらに全体の冷却効率を向上することができる。
【００１１】
第３の発明は、特に、第１または第２の発明の第一のプリント基板を冷却した後の冷却風を基板カバーに設けた開口部および第一の基板保持台に設けた開口部を経由して本体外部へ排気するよう構成することにより、前記開口部の大きさを調整することにより、第一のプリント基板上の風の流れを最適化してさらに全体の冷却効率を向上することができる。
【００１２】
第４の発明は、特に、第１〜３のいずれか１つの発明の第一の基板保持台と第二の基板保持台の間に複数のプリント基板と前記複数のプリント基板の保持台を設けることにより三つ以上の加熱コイルを有するなど高機能化することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における電磁誘導加熱調理器の断面図を示すものである。
【００１５】
図１において、天板２２であり、天板２２の下方に設けられた第一および第二の加熱コイル２３、２４であり、加熱コイル２３の下方に設けられた第一のプリント基板３０であり、第一のプリント基板３０を保持する第一の基板保持台３２であり、底面に開口部１を側面に開口部２を有する。第一の基板保持台３２の下方に設けられた第二のプリント基板３１であり、第二のプリント基板３１を保持する第二の基板保持台３３である。第一の基板保持台の上面を覆う基板カバー３であり、開口部４を有する。
【００１６】
冷却ファン３４であり、第一のプリント基板３０および第二のプリント基板３１に送風し冷却する。本体２１である。
【００１７】
以上のように構成された電磁誘導加熱調理器について、以下その動作、作用を説明する。
【００１８】
図１の矢印で示すように空気は流れ、一方、冷却ファン３４から第一のプリント基板３０に送風された冷却風は、冷却後、開口部４を経由して本体２１の外に排気される。
【００１９】
他方、冷却ファン３４から第二のプリント基板３１に送風された冷却風は冷却後、開口部１を経由して第一のプリント基板３０に送風され、冷却後、開口部４を経由して本体２１の外に排気される。
【００２０】
以上のように、本実施の形態においては、第二のプリント基板３１を冷却した冷却風が再度、第一のプリント基板３０を冷却することにより全体の冷却効率を向上することができる。
【００２１】
また、本実施の形態では第一のプリント基板３０の発熱量を第二のプリント基板３１の発熱量以上に設定することにより、第二のプリント基板３１を冷却した後の冷却風の温度を低く抑え、開口部１を経由して第一のプリント基板３０を冷却する時の冷却能力を高く保ち、結果全体の冷却効率をさらに向上することができる。
【００２２】
また、本実施の形態では、開口部２と開口部４の大きさを調整することにより、第一のプリント基板３０上の風の流れを最適化してさらに全体の冷却効率を向上することができる。
【００２３】
また、本実施の形態では、図示してないが、第一の基板保持台３２と第２の基板保持台３３の間に第三のプリント基板と開口部を有する前記第三のプリント基板を保持する保持台を更に設ければ、同様に冷却風を開口部を経由して第三のプリント基板も冷却できるので、例えば、第三のプリント基板で制御する第三の加熱コイルを備えるなど高機能化した電磁誘導加熱調理器を提供することができる。
【産業上の利用可能性】
【００２４】
以上のように、本発明の電磁誘導加熱調理器は全体の冷却効率が高く、高機能化した加熱調理器等の用途にも適用できる。
【図面の簡単な説明】
【００２５】
【図１】本発明の実施の形態１における電磁誘導加熱調理器の断面図
【図２】従来の電磁誘導加熱調理器の断面図
【符号の説明】
【００２６】
１、２、４  開口部
３  基板カバー
２１  本体
２２  天板
２３  加熱コイル（第一の加熱コイル）
２４  加熱コイル（第二の加熱コイル）
３０  第一のプリント基板
３１  第二のプリント基板
３２  第一の基板保持台
３３  第二の基板保持台
３４  冷却ファン
【図１】
2009059566.tif 000003
【図２】
2009059566.tif 000004